(57)【要約】      （修正有）【課題】新規な超電導マグネット用のアクティブリターンシステムを提供する。【解決手段】粒子加速器は、磁界を発生させるためのマグネットを備え、このマグネットは、第１の方向に電流を通過させ、これによって第１の磁界を発生させるための第１の超電導コイル２００を具備し、第１の磁界は少なくとも４テスラ（Ｔ）である。粒子加速器はまた、第２の超電導コイル２０１を具備したアクティブリターンシステムを備える。第２の超電導コイル２０１のそれぞれは、対応する第１の超電導コイル２００を取り囲みかつそれと同心状に存在している。第２の超電導コイル２０１は、第１の方向と反対の第２の方向に電流を通過させ、これによって少なくとも２．５Ｔの磁界を有する第２の磁界を発生させる。第２の磁界は第１の磁界の極性と反対の極性を有する。【選択図】図２
2014236005.tif 000002
【特許請求の範囲】
【請求項１】
粒子加速器であって、
磁界を発生させるためのマグネットであって、このマグネットは、第１の方向に電流を通過させ、これによって第１の磁界を発生させるための第１の超電導コイルを具備し、前記第１の磁界は少なくとも４テスラ（Ｔ）であるマグネットと、
第２の超電導コイルを具備したアクティブリターンシステムであって、前記第２の超電導コイルのそれぞれは、対応する第１の超電導コイルを取り囲みかつそれと同心状に存在しており、前記第２の超電導コイルは、前記第１の方向と反対の第２の方向に電流を通過させ、これによって少なくとも２．５Ｔの磁界を有する第２の磁界を発生させるためのものであり、前記第２の磁界は前記第１の磁界の極性と反対の極性を有するアクティブリターンシステムと、
その上に、第１の超電導コイルおよび対応する第２の超電導コイルの少なくとも一方が搭載される単一構造体と、を具備することを特徴とする粒子加速器。
【請求項２】
前記第１の超電導コイルおよび前記第２の超電導コイルの両方に電流を供給するための電力源を、さらに具備することを特徴とする請求項１に記載の粒子加速器。
【請求項３】
前記第１の超電導コイルおよび前記第２の超電導コイルは全て前記単一構造体上に搭載されることを特徴とする請求項１に記載の粒子加速器。
【請求項４】
前記第１の超電導コイルは前記単一構造体の内部に搭載され、かつ、前記第２の超電導コイルは、この第２の超電導コイルが前記単一構造体の少なくとも一部によって前記第１の超電導コイルから分離させられるように、前記単一構造体の外部に搭載されることを特徴とする請求項３に記載の粒子加速器。
【請求項５】
前記第２の超電導コイルの少なくとも一つの周囲のバンディングリングを、さらに具備することを特徴とする請求項３に記載の粒子加速器。
【請求項６】
前記単一構造体は、ステンレススチールおよび炭素繊維の少なくとも一つを含むことを特徴とする請求項３に記載の粒子加速器。
【請求項７】
キャビティを形成する磁極片をさらに具備し、前記単一構造体は前記磁極片の少なくとも一部の周りに存在することを特徴とする請求項１に記載の粒子加速器。
【請求項８】
前記単一構造体の少なくとも一部および前記磁極片の少なくとも一部の周囲のクライオスタットカバーをさらに備え、このクライオスタットカバーは非強磁性材料を含んでいることを特徴とする請求項７に記載の粒子加速器。
【請求項９】
１５トン未満の重量を有することを特徴とする請求項１に記載の粒子加速器。
【請求項１０】
１０トン未満の重量を有することを特徴とする請求項１に記載の粒子加速器。
【請求項１１】
陽子線治療システムであって、
請求項１に記載された粒子加速器と、
その上に前記粒子加速器が搭載されるガントリーであって、患者位置に対して回転可能であるガントリーと、を具備し、
前記陽子線治療システムは、前記患者位置に対して前記粒子加速器から本質的に直接的に陽子を放出するよう構成されていることを特徴とする陽子線治療システム。
【請求項１２】
前記粒子加速器はシンクロサイクロトロンを備えることを特徴とする請求項１１に記載の陽子線治療システム。
【請求項１３】
前記第１の磁界を収容するキャビティに対してイオン化プラズマを提供するための粒子源と、
出口に向かってイオン化プラズマのパルスからなるビームを加速させるための電圧を提供する電圧源と、をさらに具備することを特徴とする請求項１１に記載の陽子線治療システム。
【請求項１４】
粒子加速器であって、
粒子ビームを発生させるために粒子を加速するためにキャビティに対して高周波（ＲＦ）電圧を提供するための電圧源であって、前記キャビティは、プラズマコラムから加速された粒子を、前記キャビティ内で軌道に沿って運動させるための第１の磁界を有し、前記ＲＦ電圧は、前記粒子ビームが前記プラズマコラムからの距離に関して増大するとき、時間に関して変化するように制御可能である電圧源と、
前記キャビティ内に前記第１の磁界を発生させるためのマグネットであって、このマグネットは、第１の方向に電流を通過させ、これによって第１の磁界を発生させるための第１の超電導コイルを具備するマグネットと、
第２の超電導コイルを具備したアクティブリターンシステムであって、前記第２の超電導コイルのそれぞれは、対応する第１の超電導コイルを取り囲みかつそれと同心状に存在しており、前記第２の超電導コイルは、前記第１の方向と反対の第２の方向に電流を通過させ、これによって少なくとも２．５テスラ（Ｔ）の磁界を有する第２の磁界を発生させるためのものであり、前記第２の磁界は前記第１の磁界の極性と反対の極性を有するアクティブリターンシステムと、
その上に、第１の超電導コイルおよび対応する第２の超電導コイルの少なくとも一方が搭載される単一構造体と、を具備することを特徴とする粒子加速器。
【請求項１５】
前記第１の磁界は少なくとも４Ｔであることを特徴とする請求項１４に記載の粒子加速器。
【請求項１６】
前記第２の磁界は２．５Ｔないし１２Ｔであることを特徴とする請求項１５に記載の粒子加速器。
【請求項１７】
前記第１の磁界は４Ｔないし２０Ｔであり、かつ、前記第２の磁界は２．５Ｔないし１２Ｔであることを特徴とする請求項１４に記載の粒子加速器。
【請求項１８】
前記第１の超電導コイルおよび前記第２の超電導コイルの両方に電流を供給するための単一の電源を、さらに具備することを特徴とする請求項１４に記載の粒子加速器。
【請求項１９】
前記第１の超電導コイルおよび前記第２の超電導コイルは全て前記単一構造体上に搭載されることを特徴とする請求項１４に記載の粒子加速器。
【請求項２０】
前記第１の超電導コイルは前記単一構造体の内部に搭載され、かつ、前記第２の超電導コイルは、この第２の超電導コイルが前記単一構造体の少なくとも一部によって前記第１の超電導コイルから分離させられるように、前記単一構造体の外部に搭載されることを特徴とする請求項１９に記載の粒子加速器。
【請求項２１】
前記第２の超電導コイルの少なくとも一つの周囲のバンディングリングを、さらに具備することを特徴とする請求項１９に記載の粒子加速器。
【請求項２２】
前記単一構造体は、ステンレススチールおよび炭素繊維の少なくとも一つを含むことを特徴とする請求項１９に記載の粒子加速器。
【請求項２３】
前記キャビティを画定する磁極片をさらに具備し、前記単一構造体は前記磁極片の少なくとも一部の周りに存在することを特徴とする請求項１４に記載の粒子加速器。
【請求項２４】
前記単一構造体の少なくとも一部および前記磁極片の少なくとも一部の周囲のクライオスタットカバーをさらに備え、このクライオスタットカバーは非強磁性材料を含んでいることを特徴とする請求項２３に記載の粒子加速器。
【請求項２５】
１５トン未満の重量を有することを特徴とする請求項１４に記載の粒子加速器。
【請求項２６】
１０トン未満の重量を有することを特徴とする請求項１４に記載の粒子加速器。
【請求項２７】
陽子線治療システムであって、
請求項１４に記載された粒子加速器と、
その上に前記粒子加速器が搭載されるガントリーであって、患者位置に対して回転可能であるガントリーと、を具備し、
前記陽子線治療システムは、前記患者位置に対して前記粒子加速器から本質的に直接的に陽子を放出するよう構成されていることを特徴とする陽子線治療システム。
【発明の詳細な説明】
【技術分野】
【０００１】
本発明は、概して、超電導マグネット用のアクティブリターンシステムに関する。
【背景技術】
【０００２】
粒子線治療システムは、腫瘍などの苦痛を治療するための粒子ビームを生成するために加速器を使用する。作動時、粒子は、磁界の存在下でキャビティ内の軌道内で加速され、キャビティから抽出チャネルを経て取り出される。粒子は、治療のために患者に適用されるビームの一部である。磁界は、磁束を発生させるマグネットによって生成される。過度に多くの漂遊磁束は、加速器の、そして粒子線治療システムのその他の構成要素の動作に悪影響を与えることがある。リターンは、したがって、漂遊磁束の経路を決定するために使用することができる。強磁性リターンは重くなることが、そして加速器にかなりの重量を付加することがある。これは、ある場合には問題となり得る。
【発明の概要】
【課題を解決するための手段】
【０００３】
代表的な粒子加速器は、磁界を発生させるためのマグネットを備え、当該マグネットは第１の方向に電流を通過させ、これによって第１の磁界を発生させる第１の超伝導コイルを備え、かつ、この第１の磁界は少なくとも４テスラ（Ｔ）である。代表的な粒子加速器はまた、第２の超電導コイルを含むアクティブリターンシステムを備える。第２の超電導コイルのそれぞれは、対応する第１の超電導コイルを取り囲み、かつ、それと同心状に存在する。第２の超電導コイルは、第１の方向とは反対の第２の方向に電流を通過させ、これによって少なくとも２．５Ｔの磁界を有する第２の磁界を発生させるためのものである。第２の磁界は、第１の磁界の極性と反対の極性を有する。代表的な粒子加速器は、以下の特徴の一つ以上を、単独でまたは組み合わせて含むことができる。
【０００４】
電源は、第１の超電導コイルおよび第２の超電導コイルの両方に電流を供給することができる。第１の超電導コイルおよび第２の超電導コイルは構造体に搭載することができる。この構造体は、ステンレススチールおよび炭素繊維のうちの少なくとも一つを含むことができる。
【０００５】
第２の超電導コイルが構造体の少なくとも一部によって第１の超電導コイルから分離させられるように、第１の超電導コイルは構造体の内部に搭載されてもよく、そして第２の超電導コイルは構造体の外部に搭載されてもよい。バンディングリングが第２の超電導コイルの周囲に存在してもよい。
【０００６】
磁極片がキャビティを形成してもよく、上記構造体がこの磁極片の少なくとも一部の周りに存在してもよい。クライオスタットカバーは、上記構造体の少なくとも一部および上記磁極片の少なくとも一部の周りに存在してもよい。クライオスタットカバーは非強磁性材料を含むことができる。
【０００７】
粒子加速器は、１５トン未満、１０トン未満、９トン未満、８トン未満、７トン未満、その他の重量を有することができる。
【０００８】
陽子線治療システムは、その上に粒子加速器が搭載されるガントリーと共に、上記の粒子加速器（およびその変形例）を備えることができる。ガントリーは患者のポジションに対して回転可能である。陽子は、患者のポジションへと粒子加速器から本質的に直接に出力される。粒子加速器はシンクロサイクロトロンであってもよい。陽子線治療システムはまた、第１の磁界を収容するキャビティに対してイオン化プラズマを提供するための粒子源と、出口に向かってイオン化プラズマのパルスからなるビームを加速するための電圧を提供する電圧源とを備えることができる。
【０００９】
代表的な粒子加速器は、粒子ビームを発生させるために粒子を加速するためにキャビティに対して高周波（ＲＦ）電圧を提供するための電圧源を備えてもよく、キャビティは、プラズマコラムから加速された粒子を、キャビティ内で軌道に沿って運動させるための第１の磁界を有し、ＲＦ電圧は、粒子ビームがプラズマコラムからの距離に関して増大するとき、時間に関して変化するように制御可能である。代表的な粒子加速器はまた、キャビティ内に磁界を発生させるためのマグネットを備えてもよく、このマグネットは、第１の方向に電流を通過させ、これによって第１の磁界を発生させるための第１の超電導コイルを具備する。代表的な粒子加速器はまた、第２の超電導コイルを具備したアクティブリターンシステムを備えてもよく、第２の超電導コイルのそれぞれは、対応する第１の超電導コイルを取り囲みかつそれと同心状に存在している。第２の超電導コイルは、第１の方向と反対の第２の方向に電流を通過させ、これによって少なくとも２．５テスラ（Ｔ）の磁界を有する第２の磁界を発生させるためのものである。第２の磁界は第１の磁界の極性と反対の極性を有する。代表的な粒子加速器はまた、以下の特徴の一つ以上を、単独でまたは組み合わせて含むことができる。
【００１０】
第１の磁界は、少なくとも４Ｔであってもよい。第２の磁界は２．５Ｔないし１２Ｔであってもよい。第１の磁界は４Ｔないし２０Ｔであってもよく、そして第２の磁界は２．５Ｔないし１２Ｔであってもよい。
【００１１】
単一の電源を、第１の超電導コイルおよび第２の超電導コイルの両方に電流を供給するために使用することができる。第１の超電導コイルおよび第２の超電導コイルは、構造体上に搭載することができる。当該構造体はステンレススチールおよび炭素繊維のうちの少なくとも一つを含むことができる。第１の超電導コイルは構造体の内部に搭載されてもよく、そして第２の超電導コイルは、この第２の超電導コイルが構造体の少なくとも一部によって第１の超電導コイルから分離させられるように、構造体の外部に搭載されてもよい。バンディングリングが第２の超電導コイルの周りに存在してもよい。
【００１２】
磁極片がキャビティを形成してもよく、そして構造体は磁極片の少なくとも一部の周りに存在してもよい。クライオスタットカバーが、構造体の少なくとも一部および磁極片の少なくとも一部の周りに存在してもよい。クライオスタットカバーは非強磁性材料を含んでいてもよい。
【００１３】
粒子加速器は、１５トン未満、１０トン未満、９トン未満、８トン未満、７トン未満、その他の重量を有することができる。
【００１４】
陽子線治療システムは、その上に粒子加速器が搭載されるガントリーと共に、上記の粒子加速器（およびその変形例）を備えることができる。ガントリーは患者のポジションに対して回転可能である。陽子は、患者のポジションへと粒子加速器から本質的に直接に出力される。粒子加速器はシンクロサイクロトロンであってもよい。陽子線治療システムはまた、第１の磁界を収容するキャビティに対してイオン化プラズマを提供するための粒子源と、出口に向かってイオン化プラズマのパルスからなるビームを加速するための電圧を提供する電圧源とを備えることができる。
【００１５】
この概要部分に記載されたものを含めて、本明細書中で説明する二つ以上の特徴は、本明細書中では具体的に説明していない実施形態を形成するために組み合わされてもよい。
【００１６】
本明細書に記載したさまざまなシステムまたはその一部の制御は、一つ以上の非一過性の機械読み取り可能な記憶媒体に記憶された、そして一つ以上の処理デバイス上で実施可能な命令を含むコンピュータプログラム製品を介して実施可能である。本明細書に記載したシステムまたはその一部は、装置、方法、または上記機能の制御を実行するために一つ以上の処理デバイスおよび実施可能な命令を記憶するためのメモリーを含んでいてもよい電子システムとして実施することができる。
【００１７】
以下、一つ以上の実施形態の詳細について図面を用いて説明する。他の特徴、目的および利点は、以下の説明および図面から、そして特許請求の範囲の記載から明らかである。
【図面の簡単な説明】
【００１８】
【図１】超電導マグネットの側断面図である。
【図２】代表的なメインおよびアクティブリターンコイルの平面図である。
【図３】代表的な粒子治療システムの正面図である。
【図４】アクティブリターンコイルを備えた超電導マグネットの代表的コンポーネントの斜視破断面図である。
【図５】アクティブリターンコイルを備えた超電導マグネットの代表的コンポーネントの正面側破断面図である。
【図６】代表的サポート構造体および代表的超電導コイル巻き線の一部の断面図である。
【図７】代表的ケーブル・イン・チャネル複合導体の断面図である。
【図８】代表的イオン源の断面図である。
【図９】代表的ディープレートおよびダミーディーの斜視図である。
【図１０】代表的ガントリーおよび粒子加速器を含む代表的ボールトの斜視図である。
【発明を実施するための形態】
【００１９】
図中、同じ参照数字は同じ構成要素を示す。
【００２０】
本明細書に開示されるのは、陽子線あるいはイオン線治療システムなどのシステムにおいて使用するための粒子加速器の実施例である。代表的粒子線治療システムは、ガントリーに搭載された粒子加速器を、この例ではシンクロサイクロトロンを含む。ガントリーは、以下でより詳しく説明するように、患者の位置を中心に加速器が回転することを可能とする。いくつかの実施形態では、ガントリーはスチールであり、患者の両側に存在する二つのそれぞれのベアリングに回転可能に取り付けられた二つの脚部を有する。粒子加速器はスチールトラスによって支持されるが、これは、患者が横になる処置領域にまたがるのに十分なほど長く、かつ、ガントリーの回転脚に対して両端において取り付けられている。患者を中心とするガントリーの回転の結果として、粒子加速器も回転する。
【００２１】
代表的実施形態では、粒子加速器（例えばシンクロサイクロトロン）は、磁界（Ｂ）を発生させる電流を流すための超電導コイルを保持するクライオスタットを含む。この例では、クライオスタットは、超伝導温度、例えば４°ケルビン（Ｋ）でコイルを維持するために液体ヘリウム（Ｈｅ）を使用する。磁極片が、クライオスタットの内部に配置され、かつ、その中で粒子が加速されるキャビティを形成する。
【００２２】
この実施形態では、粒子加速器は、キャビティにプラズマコラムを提供するために粒子源（例えばペニングイオンゲージ（Penning Ion Gauge）‐ＰＩＧ源）を含む。水素ガスがプラズマコラムを生成するためにイオン化される。電圧源は、プラズマコラムからの粒子を加速させるためにキャビティに高周波（ＲＦ）電圧を供給する。上述のように、この例では、粒子加速器はシンクロサイクロトロンである。したがって、ＲＦ電圧は、コラムからの粒子を加速するときに、粒子への相対論的効果（例えば粒子質量の増大）を考慮するために、ある範囲の周波数にわたって掃引される。超電導コイルに電流を流すことによって生成される磁界によって、プラズマコラムから加速された粒子は、キャビティ内で軌道に沿って加速させられる。
【００２３】
磁界再生器（「再生器」）は、キャビティの内部の既存磁界を調整し、これによって、結果的に粒子がクライオスタットを通る抽出チャネルへと出て行くようにプラズマコラムから加速された粒子の連続軌道の位置（例えばピッチおよび角度）を変化させるために、キャビティの外面付近に（例えばその内縁に）配置される。再生器は、キャビティ内のあるポイントにおいて磁界を増強させ（例えば、それは、キャビティのある領域において磁界「バンプ」を生成し）、これによって、そのポイントでの粒子の各連続軌道はそれが抽出チャネルに到達するまで抽出チャネルの入口ポイントに向って外側に歳差運動させられる。抽出チャネルは、プラズマコラムから加速された粒子を受け取り、そして粒子ビームとしてキャビティから受け取った粒子を放出する。
【００２４】
超電導コイルは相対的に強い磁界を生成することができる。従来、大型の強磁性体磁気ヨークが、超電導コイルによって生成される漂遊磁界のためのリターンとして機能していた。例えば、ある実施形態では、超伝導マグネットは、かなりの漂遊磁界を生じる、例えば４テスラ（Ｔ）あるいはそれ以上の相対的に強い磁界を発生させることができる。図１に示すようなあるシステムでは、比較的大型の強磁性体リターンヨーク１００が、超電導コイル１０２によって発生する磁界のためのリターンとして使用していた。磁気シールド１０４が磁極片を取り囲んでいた。リターンヨークおよびシールドは協働で漂遊磁界を消散し、これによって漂遊磁界が加速器の働きに悪影響を及ぼす可能性を低減した。この形態の欠点はサイズおよび重量がかさむことであろう。例えば、そうしたシステムにおいては、加速器は、相応の大きな寸法と共に、２５トン以上のオーダーの重量を有することがある。
【００２５】
ある実施形態では、したがって、相対的に強い磁界のために使用される比較的大型のヨークおよびシールドがアクティブリターンシステムによって置き換えられてもよい。代表的なアクティブリターンシステムは、メイン超伝導コイルを流れる電流と反対の方向に電流を導く一つ以上のアクティブリターンコイルを含む。ある代表的実施形態では、各超電導コイルのためにアクティブリターンコイルが、例えば二つ（各超電導コイル（「メイン」コイルと呼ばれる）に関して一つ）のアクティブリターンコイルが存在する。各アクティブリターンコイルはまた、対応するメイン超電導コイルの外側を取り囲む超伝導コイルであってもよい。例えば、図２に示すように、メインコイル２００およびアクティブリターンコイル２０１は同心状に配置されてもよい。
【００２６】
電流は、メインコイルを流れる電流の方向とは反対の方向にアクティブリターンコイルを流れる。アクティブリターンコイルを流れる電流は、したがって、メインコイルによって生じる磁界と極性に関して反対の磁界を発生させる。その結果、アクティブリターンコイルが発生する磁界は、対応するメインコイルから生じる比較的強い漂遊磁界を消散することができる。ある実施形態では、各アクティブリターンは、２．５Ｔないし１２Ｔあるいはそれ以上の磁界を発生させるために使用されてもよい。たとえば、アクティブリターンコイルは、以下の値の一つ以上のあるいはそれを上回る磁界を発生させるために使用されてもよい：２．５Ｔ，２．６Ｔ，２．７Ｔ，２．８Ｔ，２．９Ｔ，３．０Ｔ，３．１Ｔ，３．２Ｔ，３．３Ｔ，３．４Ｔ，３．５Ｔ，３．６Ｔ，３．７Ｔ，３．８Ｔ，３．９Ｔ，４．０Ｔ，４．１Ｔ，４．２Ｔ，４．３Ｔ，４．４Ｔ，４．５Ｔ，４．６Ｔ，４．７Ｔ，４．８Ｔ，４．９Ｔ，５．０Ｔ，５．１Ｔ，５．２Ｔ，５．３Ｔ，５．４Ｔ，５．５Ｔ，５．６Ｔ，５．７Ｔ，５．８Ｔ，５．９Ｔ，６．０Ｔ，６．１Ｔ，６．２Ｔ，６．３Ｔ，６．４Ｔ，６．５Ｔ，６．６Ｔ，６．７Ｔ，６．８Ｔ，６．９Ｔ，７．０Ｔ，７．１Ｔ，７．２Ｔ，７．３Ｔ，７．４Ｔ，７．５Ｔ，７．６Ｔ，７．７Ｔ，７．８Ｔ，７．９Ｔ，８．０Ｔ，８．１Ｔ，８．２Ｔ，８．３Ｔ，８．４Ｔ，８．５Ｔ，８．６Ｔ，８．７Ｔ，８．８Ｔ，８．９Ｔ，９．０Ｔ，９．１Ｔ，９．２Ｔ，９．３Ｔ，９．４Ｔ，９．５Ｔ，９．６Ｔ，９．７Ｔ，９．８Ｔ，９．９Ｔ，１０．０Ｔ，１０．１Ｔ，１０．２Ｔ，１０．３Ｔ，１０．４Ｔ，１０．５，１０．６Ｔ，１０．７Ｔ，１０．８Ｔ，１０．９Ｔ，１１．０Ｔ，１１．１Ｔ，１１．２Ｔ，１１．３Ｔ，１１．４Ｔ，１１．５Ｔ，１１．６Ｔ，１１．７  Ｔ，１１．８Ｔ，１１．９Ｔ，１２．０Ｔ，１２．１Ｔ，１２．２Ｔ，１２．３Ｔ，１２．４Ｔ，１２．５Ｔ。さらに、アクティブリターンコイルは、具体的に列記していない２．５Ｔないし１２Ｔ（あるいはそれ以上）の範囲の磁界を生成させるために使用されてもよい。
【００２７】
メインコイルによって発生させられる磁界は４Ｔないし２０Ｔの範囲内あるいはそれ以上であってもよい。たとえば、メインコイルは、以下の値の一つ以上のあるいはそれを上回る磁界を発生させるために使用されてもよい：４．０Ｔ，４．１Ｔ，４．２Ｔ，４．３Ｔ，４．４Ｔ，４．５Ｔ，４．６Ｔ，４．７Ｔ，４．８Ｔ，４．９Ｔ，５．０Ｔ，５．１Ｔ，５．２Ｔ，５．３Ｔ，５．４Ｔ，５．５Ｔ，５．６Ｔ，５．７Ｔ，５．８Ｔ，５．９Ｔ，６．０Ｔ，６．１Ｔ，６．２Ｔ，６．３Ｔ，６．４Ｔ，６．５Ｔ，６．６Ｔ，６．７Ｔ，６．８Ｔ，６．９Ｔ，７．０Ｔ，７．１Ｔ，７．２Ｔ，７．３Ｔ，７．４Ｔ，７．５Ｔ，７．６Ｔ，７．７Ｔ，７．８Ｔ，７．９Ｔ，８．０Ｔ，８．１Ｔ，８．２Ｔ，８．３Ｔ，８．４Ｔ，８．５Ｔ，８．６Ｔ，８．７Ｔ，８．８Ｔ，８．９Ｔ，９．０Ｔ，９．１Ｔ，９．２Ｔ，９．３Ｔ，９．４Ｔ，９．５Ｔ，９．６Ｔ，９．７Ｔ，９．８Ｔ，９．９Ｔ，１０．０Ｔ，１０．１Ｔ，１０．２Ｔ，１０．３Ｔ，１０．４Ｔ，１０．５Ｔ，１０．６Ｔ，１０．７Ｔ，１０．８Ｔ，１０．９Ｔ，１１．０Ｔ，１１．１Ｔ，１１．２Ｔ，１１．３Ｔ，１１．４Ｔ，１１．５Ｔ，１１．６Ｔ，１１．７Ｔ，１１．８Ｔ，１１．９Ｔ，１２．０Ｔ，１２．１Ｔ，１２．２Ｔ，１２．３Ｔ，１２．４Ｔ，１２．５Ｔ，１２．６Ｔ，１２．７Ｔ，１２．８Ｔ，１２．９Ｔ，１３．０Ｔ，１３．１Ｔ，１３．２Ｔ，１３．３Ｔ，１３．４Ｔ，１３．５Ｔ，１３．６Ｔ，１３．７Ｔ，１３．８Ｔ，１３．９Ｔ，１４．０Ｔ，１４．１Ｔ，１４．２Ｔ，１４．３Ｔ，１４．４Ｔ，１４．５Ｔ，１４．６Ｔ，１４．７  Ｔ，１４．８Ｔ，１４．９Ｔ，１５．０Ｔ，１５．１Ｔ，１５．２Ｔ，１５．３Ｔ，１５．４Ｔ，１５．５Ｔ，１５．６Ｔ，１５．７Ｔ，１５．８Ｔ，１５．９Ｔ，１６．０Ｔ，１６．１Ｔ，１６．２Ｔ，１６．３Ｔ，１６．４Ｔ，１６．５Ｔ，１６．６Ｔ，１６．７Ｔ，１６．８Ｔ，１６．９Ｔ，１７．０Ｔ，１７．１Ｔ，１７．２Ｔ，１７．３Ｔ，１７．４Ｔ，１７．５Ｔ，１７．６Ｔ，１７．７Ｔ，１７．８Ｔ，１７．９Ｔ，１８．０Ｔ，１８．１Ｔ，１８．２Ｔ，１８．３Ｔ，１８．４Ｔ，１８．５Ｔ，１８．６Ｔ，１８．７Ｔ，１８．８Ｔ，１８．９Ｔ，１９．０Ｔ，１９．１Ｔ，１９．２Ｔ，１９．３Ｔ，１９．４Ｔ，１９．５Ｔ，１９．６Ｔ，１９．７  Ｔ，１９．８Ｔ，１９．９Ｔ，２０．０Ｔ，２０．１Ｔ，２０．２Ｔ，２０．３Ｔ，２０．４Ｔ，２０．５Ｔ，２０．６Ｔ，２０．７Ｔ，２０．８Ｔ，２０．９Ｔ。さらに、メインコイルは、具体的に列記していない４Ｔないし２０Ｔ（あるいはそれ以上）の範囲の磁界を生成させるために使用されてもよい。いくつかの実施形態では、アクティブリターンコイルおよびメインコイルを流れる電流は、同じ（またはほとんど同じ（例えば１０％以内の差））大きさを有する。いくつかの実施形態では、アクティブリターンコイルおよびメインコイルを流れる電流は異なる大きさを有する。
【００２８】
ある実施形態では、各メインコイルは超伝導体であり、かつ、ニオブ３スズ（Ｎｂ３Ｓｎ）から製造され、そして各アクティブ・リターンコイルは超伝導体であり、かつ、ニオブ・チタンから製造される。だが、他の実施態様では、各メインコイルおよび各リターンコイルは、同一の材料、異なる材料、および／または上記のものとは別の材料から製造されてもよい。
【００２９】
ある実施形態では、同じ（例えば単一の）電源が、マグネットのメインコイルおよびアクティブリターンコイルの両方のための電流を発生させるために使用されてもよい。これは、全てのコイルを流れる電流が適切に勾配をなすことを可能とし、そして代表的な粒子線治療システムにおいて有用であろう。
【００３０】
本明細書に記載されたアクティブリターンシステムは単一の粒子加速器で使用されてもよく、そして本明細書に記載されたその特徴の二つ以上は単一の粒子加速器において組み合わされてもよい。粒子加速器は、いかなるタイプの医療または非医療用途において使用されてもよい。本明細書に記載されたアクティブ復帰システムを有する超電導マグネットを使用することができる粒子線治療システムの一例を以下で説明する。
【００３１】
図３を参照すると、荷電粒子放射線治療システム３００は、その出力が加速器ハウジングから患者３０６に向って真っ直ぐに（すなわち本質的に直接）向けられた状態で回転ガントリー３０４上にそれを搭載するのに十分なほど小さな重量およびサイズを有するビーム発生子加速器３０２を含む。ある実施形態では、粒子加速器の重量は、以下の重量の一つ未満であるか、あるいはそれに概ね等しくてもよい：２０トン、１９トン、１８トン、１７トン、１６トン、１５トン、１４トン、１４トン、１３トン、１２トン、１１トン、  １０トン、９トン、８トン、７トン、６トン、５トンまたは４トン。しかしながら、粒子加速器は、いかなる適切な重量を有することもできる。
【００３２】
ある実施形態では、スチールガントリーは、患者の反対側に存在する二つのそれぞれのベアリング３１２，３１４に、回転可能に設けられた二つの脚部３０８，３１０を有する。加速器は、処置領域３１８にまたがるのに十分な長さ（例えば、患者の所望の標的領域がビームのライン内に留まっている状態で人をスペース内で完全に回転させることを可能とするために、背の高い人の二倍）を有し、かつ、ガントリーの回転脚部に対して両端において安定的に取り付けられたスチールトラス３１６によって支持される。
【００３３】
ある例では、ガントリーの回転は、治療システムを収容するにボールト３２４の壁から患者処置領域内へと床３２２が延在することを可能とするために、３６０度未満、例えば約１８０度の範囲３２０に制限される。ガントリーの制限された回転範囲はまた、壁のいくつか（これはビームと直接整列していない。例えば壁３３０）の所要の厚みを低減するが、これは処置領域外の人々の放射線遮蔽を提供する。ガントリーの回転の１８０度の範囲は、全ての処置アプローチ角をカバーするのに十分より大きな移動範囲を提供すると有利である。例えば回転範囲は１８０ないし３３０度であってもよく、依然として治療床スペースのためのクリアランスを提供する。これ以外の回転角が用いられてもよい。
【００３４】
ガントリーの水平回転軸線３３２は、表面上、患者とセラピストが治療システムと道後作用する床上１メートルに配置することができる。この床は、治療システム遮蔽ボールトの底床の上、約３メールに配置することができる。加速器は、回転軸線の下からの治療ビームの供給のために、持ち上げられた床の下で旋回することができる。患者寝台は、ガントリーの回転軸線に対して実質的に平行な水平面内で移動し回転する。寝台は、この構成によって、水平面内で約２７０度の範囲３３４にわたって回転することができる。ガントリーおよび患者の回転範囲と自由度のこの組み合わせによって、治療医がビームのための事実上いかなるアプローチ角を選択することも可能となる。必要ならば、患者は、反対方向に寝台の上に配置することができ、次いで、全ての可能な角度を用いることができる。
【００３５】
ある実施形態では、加速器は超高磁界超電導電磁構造体を有するシンクロサイクロトロンを使用する。所与の運動エネルギーの荷電粒子の曲げ半径は、それに印加される磁界の増加に正比例して減少するので、超高磁界超電導マグネット構造体は加速器をより小さくかつより軽くすることを可能とする。シンクロサイクロトロンは、回転角度に関して均一でありかつ半径の増加と共に強度が落ちる磁界を使用する。このような磁界形成は、磁界の規模に関係なく達成でき、したがって、理論的には、シンクロサイクロトロンにおいて使用することができる磁界強度（したがって固定半径での最終的な粒子エネルギー）に上限はない。
【００３６】
図３に示す代表的実施形態では、超電導シンクロサイクロトロン３０２は、８．８テスラのシンクロサイクロトロンの極ギャップ内のピーク磁界を伴って作動する。シンクロサイクロトロンは、２５０ＭｅＶのエネルギーを持つ陽子ビームを生成する。ある実施形態では、磁界強度が４Ｔないし２０Ｔの範囲であってもよく、陽子エネルギーは１５０ないし３００ＭｅＶの範囲にあってもよい。ある実施形態では、アクティブリターンコイルの磁界強度は２．５Ｔないし１２Ｔの範囲にあってもよい。
【００３７】
本実施例に関して説明する放射線治療システムは陽子放射線治療のために使用されるが、同じ原理および細部は、重イオン（イオン）処理システムにおいて使用するための類似のシステムにおいて適用することができる。
【００３８】
代表的なシンクロサイクロトロンは、粒子源、高周波（ＲＦ）駆動システム、およびビーム抽出システムを含むマグネットシステムを含む。ある実施形態では、これらの要素の一つ以上の加速器の外部に存在するタイプの粒子加速器が使用されてもよい。
【００３９】
図４および図５を参照すると、マグネットシステムによって形成された磁界は、環状超伝導コイル４００，４０１の分割された対および成形された強磁性体（例えば低炭素スチール）磁極面４０３，４０４の対の組み合わせを用いて、含まれる陽子ビームの焦点を維持するための適切な形状を有する。
【００４０】
二つの超伝導マグネットコイルは共通軸線４０５に中心が置かれ、かつ、この軸線に沿って離間している。図６および図７を参照すると、コイルは、捩じれたケーブル・イン・チャネル導体ジオメトリーで配備された（最初は銅シースによって取り囲まれたニオブ  スズコアを備える）Ｎｂ３Ｓｎ系超電導０．８ｍｍ径ストランド７０１によって形成されてもよい。７本の個々のストランドが一つに編まれた後、それらは、ワイヤの最終的な（脆性）超電導材料を形成する反応を生じるように加熱される。材料が反応した後、ワイヤは銅チャネル（外側寸法３．１８×２．５４ミリメートルおよび内側寸法２．０８×２．０８ミリメートル）にハンダ付けされ、そして絶縁体７０２（この例ではガラス繊維織物材）で覆われる。ワイヤ７０３を包含する銅チャネルは次いで、２６層および１層当たり４９ターンを有する、８．５５×１９．０２ｃｍの矩形断面を有するコイルに巻回される。巻回コイルには、次いで、エポキシ化合物が真空含浸させられる。完成したコイル４００，４０１は、環状ステンレススチールリバース支持構造体６０１上に搭載される。ヒーターブランケット６０２が、マグネットクエンチの場合にアセンブリを保護するために、巻線の層内に間隔をおいて配置される。
【００４１】
メインコイルのジオメトリーは支持構造体６０１によって維持されるが、これは、コイルに給電された際に生じる歪み（例えば膨張）力に抗するように作用する復元力６０５を加える。コイルポジションは、クライオスタットの周囲を画定するクライオスタットカバー（後述）に対して支持構造体を接続する一組の（図示していない）テンションリンクのセットを用いて、磁極片およびクライオスタットに対して維持することができる。
【００４２】
メイン超伝導コイルは、コイル構造の周りに少なくともいくらかの自由なスペースを提供する真空環状アルミニウムまたはステンレススチール低温チャンバー内にコイルアセンブリ（コイルおよび支持構造体）を閉じ込めることによって絶対零度付近の温度（例えば約４度ケルビン）に維持される。ある実施形態では、絶対零度付近の温度が達成され、そして液体ヘリウムを含む冷却チャネル（図示せず）を使用して維持されるが、これは、支持構造体の内部に形成され、そしてそれはチャネル内の液体ヘリウムと、対応する超電導コイルとの間の熱的接続部を含む。上記タイプの、そして使用可能な液体ヘリウム冷却システムの一例は、米国特許出願第１３／１４８，０００（Begg他）において説明されている。
【００４３】
図４および図５において、超電導コイル４００，４０１は支持構造体６０１の内部に搭載されている。ある実施形態では、支持構造体６０１は、ステンレススチールなどの構造用鋼または炭素繊維から製造されてもよい。アクティブリターンコイル４０９，４１０は、図4及び図５に示すように、支持構造体６０１の外部に搭載される。バンディングリング４１１（これは例えば炭素繊維またはその他の適切な材料から製造可能である）は、アクティブリターンコイル４０９，４１０の周囲に、それらをマグネット作動中に適所で保持するために、そしてこれによって（例えば作動によって生じる膨張力に対応して）その形状を維持するために設けられる。各アクティブリターンコイル４０９，４１０は、その対応するメインコイル４００，４０１に対して同心状に存在する。
【００４４】
アクティブリターンコイルは、ニオブ・チタンまたはその他の適切な材料などの超伝導材料から製造できる。アクティブリターンコイルは、メインコイルと同様に製造されてもよい。ある実施形態では、アクティブリターンコイルは、例えば（図４および図５には示されていない）液体ヘリウム冷却チャネルへと熱を伝達することによって、メイン超伝導コイルと同様に超伝導温度に維持することができる。ある実施形態では、アクティブリターンコイルは、その他の技術を用いて冷却することができる。
【００４５】
メインおよびアクティブリターンコイルを含む支持構造体６０１は、協働でキャビティ４１２を画定する強磁性体（例えば鉄）磁極片４０３，４０４を取り囲んでいる。イオン源は加速させるための粒子を提供するためにキャビティ４１２の中央付近に存在する。別な例では、イオン源は加速器の外部にあってもよい。粒子はキャビティ４１２内で加速され、マグネットアセンブリ内の抽出チャネル（図示せず）へとビームとして放出される。抽出チャネルから、ビームが患者に対して実質的に直接放出される。
【００４６】
支持構造体、磁極片、メインコイルおよびアクティブリターンコイルは（本明細書に記載されないその他の構造体と共に）、とりわけマグネットアセンブリの温度を維持するクライオスタットカバー４１５に収容される。クライオスタットカバー４１５は、ステンレススチール、カーボンまたはその他の適切な比較的軽量な材料から製造することができる。したがって、上述したように、ある実施形態では、代表的なマグネットアセンブリを含む粒子加速器は、以下の重量の一つ未満あるいはそれとほぼ等しい重量を有することができる：２０トン、１９トン、１８トン、１７トン、１６トン、１５トン、１４トン、１４トン、１３トン、１２トン、１１トン、１０トン、９トン、８トン、７トン、６トン、５トンまたは４トン。粒子加速器の、そしてマグネットアセンブリの実際の重量は、さまざまな要因に依存し、ここに提示された代表的重量に限定されない。
【００４７】
キャビティ４１２内に収容可能な粒子源の例は以下の通りである。図８を参照すると、ある実施形態では、粒子源８００はペニング（Penning）イオンゲージジオメトリーを有する。粒子源は以下で説明するようなものであってもよく、あるいは粒子源は、この引用によって本明細書に組み込まれる米国特許出願第１１／９４８，６６２号に記載されたタイプのものであってもよい。米国特許出願第１１／９４８，６６２号は、プラズマを含むチューブが、その中間面の少なくとも一部で遮断された粒子源が記載されている。粒子源の残りの特徴は、図８に関して説明したものと同じである。
【００４８】
粒子源８００は、ガス状水素ガスを供給するガスラインおよびチューブを経て水素の供給源から供給される。電気ケーブルは、磁界８１０と整列したカソード８０４，８０５からの電子放出を刺激するために電流源から電流を導く。
【００４９】
この例では、放出された電子は、マグネット構造体及び１枚のダミーディープレート９０２によって取り囲まれたスペースの半分にまたがる１枚の半円形（デー形状）高周波プレート９００による加速のための正イオン（陽子）の供給源を創出するために、チューブ８１１からの小さな孔を経て出てくるガスをイオン化する。中断された粒子源（その例は米国特許出願第１１／９４８，６６２号に記載されている）の場合、チューブ含有プラズマの全て（あるいはかなりの部分）は加速領域で除去され、これによってイオンを相対的に強い磁界中で、より急速に加速させることが可能となる。
【００５０】
図９に示すように、ディープレート９００は、その中で陽子がマグネット構造に囲まれたスペース周りのその回転の半分の間に加速されるスペース９０７を取り囲む二つの半円形面９０３，９０５を有する中空金属構造体である。スペース９０７内に開口するダクト９０９は、磁極片を貫通して、スペース９０７およびその中で加速が生じる真空チャンバー内のスペースの残りを排気するために真空ポンプを取り付けることができる外部位置まで延在する。ダミーディープレート９０２は、ディープレートの露出した縁の近傍に離間して置かれる長方形の金属リングを備える。ダミーディーは、真空チャンバーおよび磁極片に接地される。ディープレート９００は、スペース９０７に電界を付与するために高周波伝送線路の端部に印加される高周波信号によって駆動される。高周波電界は、加速粒子ビームの幾何学的中心からの距離が増大するとき時間的に変化するようになされる。この目的のために有用である高周波波形発生器の例は、２００５年７月２１日出願の「A Programmable Radio Frequency Waveform Generator for a Synchrocyclotron」という名称の米国特許出願第１１／１８７，６３３号および２００４年７月２１日に出願された同じ名称の米国仮出願第６０／５９０，０８９号に開示されており、いずれもこの引用によって本明細書中に組み込まれる。高周波電界は、「Matching A Resonant Frequency Of A Resonant Cavity To A Frequency Of An Input Voltage」という名称の米国特許出願第１１／９４８，３５９号に記載された手法で制御することができる（その内容はこの引用によって本明細書中に組み込まれる）。
【００５１】
中央に配置された粒子源から出たビームが、それが外側にらせん運動し始めるとき、粒子源構造体を通過するために、大きな電圧差が高周波プレートを横切って印加される。２０，０００ボルトが高周波プレートを横切って印加されてもよい。ある例では、８，０００〜２０，０００ボルトが高周波プレートを横切って印加されてもよい。この大きな電圧をドライブするのに必要な電力を低減するために、マグネット構造体は、高周波プレートと地面との間の静電容量を減少させるように配置されてもよい。これは、外側磁極片およびクライオスタットハウジングによって高周波構造体から十分なクリアランスを備えた孔を形成すると共に磁極面の間に十分なスペースを形成することによってなされてもよい。
【００５２】
ディープレートを駆動する高電圧交流電位は、陽子の増加相対論的質量および減少磁界を考慮するために、加速サイクルの間、下向きにスイープされる周波数を有する。ダミーディーは中空の半円筒形構造体を必要としない。というのは、それは、真空チャンバーの壁と共に接地電位にあるからである。異なる電気的位相または基本周波数の倍数で駆動される加速電極の複数の対といった、その他のプレート配置が利用可能である。ＲＦ構造体は、例えば、噛み合う回転および静止ブレードを有する回転キャパシターを用いることによって、高周波数スイープの間、そのＱhighを維持するために調整することができる。ブレードの各噛み合いの間、静電容量が増大し、これによってＲＦ構造体の共振周波数が低下する。ブレードは、必要とされる正確な周波数スイープを創出するよう成形することができる。回転コンデンサーの駆動モーターは、正確な制御のためにＲＦ発生器に対して位相ロックすることができる。粒子の一つの集まりは、回転コンデンサーのブレードの各噛み合い中に加速される。
【００５３】
その中で加速が生じる真空チャンバー（例えばキャビティ４１２）は、中心が薄く、ヘリが厚い概ね円筒形容器である。真空チャンバーは、ＲＦプレートおよび粒子源を取り囲み、真空ポンプによって排気される。高真空を維持することで、加速イオンがガス分子との衝突によって失われる可能性が低減され、かつ、ＲＦ電圧を地面へのアーク放電を伴わずに、より高いレベルで維持することが可能となる。
【００５４】
陽子は、粒子源を出発して概して螺旋状の軌道経路を横切る。螺旋経路の各ループの半分において、陽子は、それがスペース９０７内のＲＦ電界を通過するときにエネルギーを得る。イオンがエネルギーを得るとき、その螺旋経路の各連続ループの中心軌道の半径は、ループ半径が磁極面の最大半径に達するまで、先のループよりも大きなものである。この位置において、磁界および電界摂動は、磁界が急激に減少する領域へとイオンを導き、そしてイオンは高磁界の領域を外れ、サイクロトロンの磁極片を出るために、本明細書では抽出チャネルと呼ばれる排気チューブ（これは加速器の一部である）を経て案内される。磁気再生器が、イオンを案内するために磁界摂動を変更するために使用されてもよい。サイクロトロンを出たイオンは、それらがサイクロトロンの周囲の空間に存在する著しく減少した磁界の領域に入るときに拡散する傾向がある。抽出チャネル内のビーム整形要素はそれが制限された空間的な広がりの真っ直ぐなビーム内に留まるように、イオンの方向を変える。
【００５５】
ビームが抽出チャネルを出るとき、それは、ビームのための散乱角および範囲変調の所望の組み合わせを形成するためにプログラム制御することができるビームフォーメーションシステムを通過させることができる。この目的のために有用なビーム整形システムの例は、２００４年９月２４日出願の「A Programmable Particle Scatter for Radiation Beam Formation」という名称の米国特許出願第１０／９４９，７３４号および２００５年７月２１日出願の米国仮出願第６０／５９０，０８８号において説明されている（そのいずれもがこの引用によって本明細書に組み込まれる）。ビーム整形システムは、患者にビームを向けるために、インナーガントリと共に使用することができる。
【００５６】
作動中、プレートは、プレートの表面に沿った導体抵抗の結果として、印加される高周波電界からのエネルギーを吸収する。このエネルギーは熱として現れ、そして熱交換器内で熱を放出する水冷ラインを用いて、プレートから除去されてもよい。
【００５７】
サイクロトロンから出てくる漂遊磁界は、アクティブリターンコイル４０９，４１０によって制限される。したがって、別個の磁気シールドは、通常、必要とされない。だが、いくつかの実装形態では、別個の磁気シールドを使用することができる。別個の磁気シールドは、クライオスタットを囲みかつスペースで分離させられた強磁性体（例えば、スチールまたは鉄）層を含んでいてもよい。
【００５８】
上述したように、ガントリーは、シンクロサイクロトロンが水平回転軸線３３２を中心に回転することを可能とする。ガントリーは、ガントリー脚部の一方または両方に対して取り付けられかつ駆動ギアによってベアリングハウジングに対して接続された電気モーターによって回転駆動させられる。ガントリーの回転位置は、ガントリー駆動モーターおよび駆動ギアに組み込まれたシャフト角エンコーダによって提供される信号から得られる。
【００５９】
図１０を参照すると、イオンビームがシンクロサイクロトロン３０２を出る位置において、ビームフォーメーションシステム１００１が、患者の治療に適した特性をそれに与えるためにイオンビームに作用する。例えば、所与の標的体積にわたって均一な照射を提供するために、ビームは拡散され、その浸透の深さが変化させられてもよい。ビームフォーメーションは、受動散乱要素ならびに能動走査要素を含むことができる。
【００６０】
シンクロサイクロトロンのアクティブ・システムの全て（例えば、電流駆動超伝導コイル、ＲＦ駆動プレート、真空加速チャンバーおよび超電導コイル冷却チャンバー用の真空ポンプ、電流駆動粒子源、水素ガス源、およびＲＦプレートクーラー）は適切なシンクロサイクロトロン制御電子機器（図示せず）によって制御可能であるが、これは、制御を行うために、例えば適切なプログラム（例えば実行可能な命令）でプログラムされた一つ以上のコンピューターを含んでいてもよい。
【００６１】
治療セッションを実行するための、ガントリー、患者サポート、アクティブビーム整形要素およびシンクロサイクロトロンの制御は、適切な治療制御電子回路（図示せず）によって実施されてもよい。
【００６２】
上記システムに関するさらなる詳細は、２００６年１１月１６日に出願された「Charged Particle Radiation Therapy」という名称の米国特許第７，７２８，３１１号、そして２００８年１１月２０日に出願された「Inner Gantry」という名称の米国特許出願第１２／２７５，１０３号に見出すことができる。米国特許第７，７２８，３１１号および米国特許出願第１２／２７５，１０３号の内容は、この引用によって、本明細書中に組み込まれる。
【００６３】
上記実施形態の二つ以上が、適切な粒子加速器（例えばシンクロサイクロトロン）において適切な組み合わせで使用されてもよい。同様に、上記実施形態の二つ以上の個々の特徴が適切な組み合わせで使用されてもよい。
【００６４】
本明細書で説明した異なる実施形態の要素は、本明細書では詳しく記載していないその他の実施形態を形成するために組み合わせることができる。ある要素が、その機能に悪影響を及ぼすことなく、本明細書で説明したプロセス、システム、装置等から取り除かれてもよい。さまざまな別個の要素が、本明細書に記載された機能を実行するために、一つ以上の個々の要素に組み込まれてもよい。
【００６５】
本明細書に記載した代表的な実施形態は、粒子線治療システムとの使用に、または本明細書で説明した代表的な粒子線治療システムとの使用に限定されない。それどころか、代表的な実施形態は、出力部へと加速された粒子を導く適切なシステムにおいて使用することができる。
【００６６】
本明細書に記載された粒子加速器の設計に関する追加情報は、「High-Field Superconducting Synchrocyclotron」という名称の２００６年１月２０日に出願された米国仮出願第６０／７６０，７８８号；「Magnet Structure For Particle Acceleration」という名称の２００６年８月９日に出願された米国特許出願第１１／４６３、４０２号、そして「Cryogenic Vacuum Break Pneumatic Thermal Coupler」という名称の２００６年１０月１０日に出願された米国仮出願第６０／８５０，５６５号に見出すことができ、その全ては、この引用によって、完全に言及されているかのように本明細書中に組み込まれる。
【００６７】
以下の出願（これは２０１２年９月２８日に出願された）は、この引用によって、本明細書中で完全に言及されているかのように本明細書中に組み込まれる：「CONTROLLING INTENSITY OF A PARTICLE BEAM」という名称の米国仮出願（出願番号６１／７０７，４６６号）、「ADJUSTING ENERGY OF A PARTICLE BEAM」という名称の米国仮出願（出願番号６１／７０７，５１５号）、「ADJUSTING COIL POSITION」という名称の米国仮出願（出願番６１／７０７，５４８号）、「FOCUSING A PARTICLE BEAM USING MAGNETIC FIELD FLUTTER」という名称の米国仮出願（出願番号６１／７０７，５７２号）、「MAGNETIC FIELD REGENERATOR」という名称の米国仮出願（出願番号６１／７０７，５９０号）、「FOCUSING A PARTICLE BEAM」という名称の米国仮出願（出願番号６１／７０７，７０４号）、「CONTROLLING PARTICLE THERAPY」という名称の米国仮出願（出願番号６１／７０７，６２４号）、そして「CONTROL SYSTEM FOR A PARTICLE ACCELERATOR」という名称の米国仮出願（出願番号６１／７０７，６４５）。
【００６８】
以下のものもまた、この引用によって、本明細書中で完全に言及されているかのように本明細書中に組み込まれる：２０１０年６月１日に発行された米国特許第７，７２８，３１１号、２００７年１１月３０日に出願された米国特許出願第１１／９４８，３５９号、２００８年１１月２０日に出願された米国特許出願第１２／２７５，１０３号、２００７年１１月３０日に出願された米国特許出願第１１／９４８，６６２号、２００７年１１月３０日に出願された米国仮出願第６０／９９１，４５４号、２０１１年８月２３日に発行された米国特許第８，００３，９６４号、２００７年４月２４日に発行された米国特許第７，２０８，７４８号、２００８年７月２２日に発行された米国特許第７，４０２，９６３号、ならびに２００７年１１月９日に出願された米国特許出願第１１／９３７，５７３号。
【００６９】
本願の特徴は、以下の一つ以上の適切な特徴と組み合わせることができる：「CONTROLLING INTENSITY OF A PARTICLE BEAM」という名称の米国仮出願（出願番号６１／７０７，４６６号）、「ADJUSTING ENERGY OF A PARTICLE BEAM」という名称の米国仮出願（出願番号６１／７０７，５１５号）、「ADJUSTING COIL POSITION」という名称の米国仮出願（出願番号６１／７０７，５４８号）、「FOCUSING A PARTICLE BEAM USING MAGNETIC FIELD FLUTTER」という名称の米国仮出願（出願番号６１／７０７，５７２号）、「MAGNETIC FIELD REGENERATOR」という名称の米国仮出願（出願番号６１／７０７，５９０号）、「FOCUSING A PARTICLE BEAM」という名称の米国仮出願（出願番号６１／７０７，７０４号）、「CONTROLLING PARTICLE THERAPY」という名称の米国仮出願（出願番号６１／７０７，６２４号）、そして「CONTROL SYSTEM FOR A PARTICLE ACCELERATOR」という名称の米国仮出願（出願番号６１／７０７，６４５号）、２０１０年６月１日に発行された米国特許第７，７２８，３１１号、２００７年１１月３０日に出願された米国特許出願第１１／９４８，３５９号、２００８年１１月２０日に出願された米国特許出願第１２／２７５，１０３号、２００７年１１月３０日に出願された米国特許出願第１１／９４８，６６２号、２００７年１１月３０日に出願された米国仮出願第６０／９９１，４５４号、  ２０１１年８月２３日に発行された米国特許第８，００３，９６４号、２００７年４月２４日に発行された米国特許第７，２０８，７４８号、２００８年７月２２日に発行された米国特許第７，４０２，９６３号、２０１０年２月９日に出願された米国特許出願第１３／１４８，０００号並びに２００７年１１月９日に出願された米国特許出願第１１／９３７，５７３号。
【００７０】
本明細書中に具体的に記載されていないその他の実施形態もまた特許請求の範囲内のものである。
【符号の説明】
【００７１】
１００  強磁性リターンヨーク
１０２  超電導コイル
１０４  磁気シールド
２００  メインコイル
２０１  アクティブリターンコイル
３００  荷電粒子放射線治療システム
３０２  ビーム発生子加速器（超電導シンクロサイクロトロン）
３０４  回転ガントリー
３０６  患者
３０８，３１０  脚部
３１２，３１４  ベアリング
３１６  スチールトラス
３１８  処置領域
３２２  床
３２４  ボールト
３３０  壁
３３２  水平回転軸線
４００，４０１  環状超伝導コイル（メインコイル）
４０３，４０４  強磁性体磁極片
４０９，４１０  アクティブリターンコイル
４１１  バンディングリング
４１２  キャビティ
４１５  クライオスタットカバー
６０１  環状ステンレススチールリバース支持構造体
６０２  ヒーターブランケット
６０５  復元力
７０１  ストランド
７０２  絶縁体
７０３  ワイヤ
８００  粒子源
８０４，８０５  カソード
８１０  磁界
８１１  チューブ
９００  半円形高周波プレート
９０２  ダミーディープレート
９０３，９０５  半円形面
９０７  スペース
９０９  ダクト
１００１  ビームフォーメーションシステム
【図１】
2014236005.tif 000003
【図２】
2014236005.tif 000004
【図３】
2014236005.tif 000005
【図４】
2014236005.tif 000006
【図５】
2014236005.tif 000007
【図６】
2014236005.tif 000008
【図７】
2014236005.tif 000009
【図８】
2014236005.tif 000010
【図９】
2014236005.tif 000011
【図１０】
2014236005.tif 000012
【外国語明細書】
2014236005000001.pdf